(57)【要約】      （修正有） 【課題】短時間で布団を乾燥させて、より効率的に干す効果を得ることができる布団干し具を提供する。【解決手段】布団を干す際に使用される布団干し具１０であって、全体洗濯ばさみ状に形成され、一対の互いに対向する把持片部１１と、一対の把持片部に軸部１２を介して夫々連設されると共に、互いに対向して配置され、圧接方向へ付勢されて物干しざお１６を係止する一対の係止片部１３とを有し、把持片部を把持して把持片部の開閉操作をし得るように構成され、係止片部は、係止片部の外方へ鋭角を以て延出可能に形成され、布団１４を保持し得る布団保持アーム１５を有する。【選択図】図２
0003208846.tif 000002
【実用新案登録請求の範囲】
【請求項１】
布団を干す際に使用される布団干し具であって、全体洗濯ばさみ状に形成され、一対の互いに対向する把持片部と、前記一対の把持片部に軸部を介して夫々連設されると共に、互いに対向して配置され、圧接方向へ付勢された一対の係止片部とを有し、前記把持片部を把持して前記把持片部の開閉操作をし得るように構成され、前記係止片部は、前記係止片部の外方へ鋭角を以て延出可能に形成され、布団を保持し得る布団保持アームを有することを特徴とする布団干し具。
【請求項２】
前記把持片部は所定幅を有し、側面直線状に形成されていると共に、前記係止片部は所定幅を有し、外方へ湾曲する側面円弧状に形成されていることを特徴とする請求項１記載の布団干し具。
【請求項３】
前記布団保持アームは前記係止片部及び前記把持片部の長さ方向に沿って、所定角度外方へ拡開して配設され、入れ子式の多段アームとして形成されていることを特徴とする請求項１記載の布団干し具。
【請求項４】
前記布団保持アームは、前記係止片部から前記把持片部方向に向かって延伸するように配設されていることを特徴とする請求項３記載の布団干し具。
【請求項５】
前記布団保持アームは、前記係止片部の幅方向に沿って複数設けられていることを特徴とする請求項３記載の布団干し具。
【請求項６】
前記布団保持アームは、前記係止片部に先端部方向へ回動可能に設けられ、前記係止片部の先端部方向に沿って配置しうるように構成されていることを特徴とする請求項３記載の布団干し具。
【考案の詳細な説明】
【技術分野】
【０００１】
本考案は、布団干し具の改良に関する。
【背景技術】
【０００２】
一般に、布団を干す場合には、ベランダの手すりや物干しざおに布団を掛けて日光に当てることにより行う。このような場合、布団はベランダの手すり又は物干しざおの両側に適宜の長さで二つ折りにして掛けられることから、二つ折りにされた布団の一対の折り部は、手すりや物干しざおにほぼ当接して掛けられ、双方の布団の折り部の間は近接し、通気性が良好ではなく、布団干しの効果を上げるためには長時間干す必要がある、という不具合があった。
【０００３】
このような観点から、従来より、短時間で布団を乾燥させて、より効率的に干せる布団干し具が要請されていた。
【０００４】
本件出願人はこのような観点から、従来の特許文献を調査し以下の文献を抽出したが本件考案の課題とは無関係の文献である（特許文献１）。
【特許文献１】特開平８−１１２４９０号公報
【考案の概要】
【考案が解決しようとする課題】
【０００５】
本考案はこのような従来からの不具合を解決するためのものであって、その課題は、短時間で布団を乾燥させて、より効率的に干す効果を得ることができる布団干し具を提供することにある。
【課題を解決するための手段】
【０００６】
上記課題達成のため、請求項１記載の考案にあっては、布団を干す際に使用される布団干し具であって、全体洗濯ばさみ状に形成され、一対の互いに対向する把持片部と、前記一対の把持片部に軸部を介して夫々連設されると共に、互いに対向して配置され、圧接方向へ付勢された一対の係止片部とを有し、前記把持片部を把持して前記把持片部の開閉操作をし得るように構成され、前記係止片部は、前記係止片部の外方へ鋭角を以て延出可能に形成され、布団を保持し得る布団保持アームを有することを特徴とする。
【０００７】
従って、請求項１記載の考案にあっては、布団を物干しざお又はベランダの手すりに干した場合、本考案に係る布団干し具を利用し、前記把持片部を把持して係止片部により下方から物干しざお又は手すりに固定し、前記布団保持アームを鋭角を以て延出させることにより、布団を布団保持アーム上に載置した状態で保持して、布団を拡げて干すことができる。
【０００８】
請求項２記載の考案にあっては、前記把持片部は所定幅を有し、側面直線状に形成されていると共に、前記係止片部は所定幅を有し、外方へ湾曲する側面円弧状に形成されていることを特徴とする。
【０００９】
請求項３記載の考案にあっては、前記布団保持アームは前記係止片部及び前記把持片部の長さ方向に沿って、所定角度外方へ拡開して配設され、入れ子式の多段アームとして形成されていることを特徴とする。
従って、請求項３記載の考案にあっては、入れ子式に形成された多段式の前記布団保持アームを延出させ、布団を保持させることができる。
【００１０】
請求項４記載の考案にあっては、前記布団保持アームは、前記係止片部の先端部から前記把持片部方向に向かって延伸するように配設されていることを特徴とする。
【００１１】
請求項５記載の考案にあっては、前記布団保持アームは、前記係止片部の幅方向に沿って複数設けられていることを特徴とする。
【００１２】
請求項６記載の考案にあっては、前記布団保持アームは、前記係止片部に回動可能に設けられ、前記係止片部の先端部方向に沿って配置しうるように構成されていることを特徴とする。
【考案の効果】
【００１３】
請求項１〜６記載の考案にあっては、布団を干す際に使用される布団干し具であって、全体洗濯ばさみ状に形成され、一対の互いに対向する把持片部と、前記一対の把持片部に軸部を介して夫々連設されると共に、互いに対向して配置され、圧接方向へ付勢された一対の係止片部とを有し、前記把持片部を把持して把持片部の開閉操作をし得るように構成され、前記一対の係止片部には、前記係止片部の夫々外方へ鋭角を以て延出可能に形成され、布団を保持し得る布団保持アームを有しており、布団を物干しざお又はベランダの手すりに干した場合、本考案に係る布団干し具を利用し、前記把持片部を把持して係止片部により下方から物干しざお又は手すりに固定し、前記布団保持アームを鋭角を以て延出させることにより、布団を布団保持アーム上に載置した状態で、布団を拡げて干すことができることから、布団を単に物干しざお又はベランダの手すりに垂下させるのみではなく展張して干すことができるため、短時間で布団を乾燥させてより効率的に干すことができる。
【００１４】
請求項３記載の考案にあっては、前記布団保持アームは係止片部及び把持片部の長さ方向に沿って、所定角度外方へ拡開して配設され、入れ子式の多段アームとして形成されており、入れ子式に形成された多段式の前記布団保持アームを延出させ、布団を保持させることができることから、不使用時には収納してコンパクトな状態にしておき、使用時には引き出して延出させ、布団を保持させることができ、保管、携帯性に優れた布団干し具を提供することができる。
【００１５】
請求項４記載の考案にあっては、前記布団保持アームは、前記係止片部の先端部から把持片部方向に向かって延伸するように配設されていることを特徴とする。
【００１６】
請求項５記載の考案にあっては、前記布団保持アームは、係止片部の幅方向に沿って複数設けられていることを特徴とする。請求項５記載の考案にあっては、複数の布団保持アームにより布団を保持することができる。
【００１７】
請求項６記載の考案にあっては、前記布団保持アームは、係止片部に回動可能に設けられ、係止片部の先端部方向に沿って配置しうるように構成されていることを特徴とする。
【図面の簡単な説明】
【００１８】
【図１】本考案に係る布団干し具の一実施の形態を示す側面図である。
【図２】本考案に係る布団干し具の一実施の形態を示す側面図であって、物干しざおに布団を干した状態で布団干し具を使用した場合を示す側面図である。
【図３】本考案に係る布団干し具の他の実施の形態を示す側面図である。
【図４】本考案に係る他の実施の形態の布団干し具を用いて布団を干している状態を示す側面図である。
【考案を実施するための形態】
【００１９】
以下、添付図面に示す実施の形態に基づき、本考案を詳細に説明する。
図１及び図２に示すように、本実施の形態に係る布団干し具１０は、全体合成樹脂製であって、大型の洗濯ばさみ状に形成され、一対の互いに対向する把持片部１１、１１と、前記一対の把持片部１１に軸部１２を介して夫々連設されると共に、互いに対向して配置され、適宜の付勢手段により圧接方向へ付勢された一対の係止片部１３、１３とを有し、把持片部１１、１１を把持して係止片部１３、１３を付勢手段２５の付勢力に抗して開閉操作をし得るように構成されている。
【００２０】
一対の係止片部１３、１３は、係止片部１３、１３の夫々外方へ鋭角を以て延出可能に形成され、布団１４を保持し得る一対の布団保持アーム１５、１５を有している。把持片部１１、１１及び係止片部１３、１３は所定幅を有し、把持片部１１、１１は側面直線状に形成されていると共に、前記係止片部１３、１３は外方へ湾曲する側面円弧状に形成されている。
【００２１】
前記布団保持アーム１５、１５は、係止片部１３、１３の先端部において、係止片部１３、１３及び把持片部１１、１１の長さ方向に沿って、外方へ所定角度（本実施の形態に合っては、垂直方向に対して約３０度）拡開して配設され、入れ子式の多段アームとして形成されており、係止片部１３、１３から把持片部１１、１１方向に向かって延伸するように配設されている。
【００２２】
従って、本実施の形態に係る布団干し具１０を使用する場合には、図２に示すように、物干しざお１６に掛けて干された布団１４の下方から、挿入して物干しざお１６に、把持片部１１、１１を把持して係止片部１３、１３を付勢手段２５の付勢力に抗して開放させて係止させる。なお、一つの布団１６を干す場合には、布団干し具１０を２〜３個使用して、布団１４の適宜の部位に配置して使用する。
【００２３】
その後、係止片部１３、１３に設けられた、布団保持アーム１５、１５を引き出して延出させ、その上に布団１４の折り片部１４ａ、１４ｂを載せる。この場合、布団保持アーム１５、１５は、係止片部１１、１１の長さ方向に対して鋭角（本実施の形態にあっては垂直方向に対して約３０度）に拡開するように配置されていることから、布団保持アーム１５、１５上に布団１４の折り片部１４ａ、１４ｂが夫々載置され、折り片部１４ａ、１４ｂは物干しざお１６を中間にして拡開した状態で干される。
【００２４】
従って、通常のように、物干しざお１６に布団１４を干した場合のように、折り片部１４ａ、１４ｂが非常に近接した状態ではなく、折り片部１４ａ、１４ｂが互いに所定角度離間した状態で干されることから、折り片部１４ａ、１４ｂの間に風が流通し、布団１４を乾燥させやすい。従って、より短時間で効率的に布団１４を乾燥させて干すことができる。
なお、本実施の形態にあっては、係止片部２２、２２に布団保持アーム２１、２１が一対に配設されている場合を例に説明したが、本実施の形態に限定されず、係止片部１３、１３が大型に形成され、布団保持アーム１５、１５が、係止片部１３、１３の幅方向に沿って複数設けられていてもよい。  
【００２５】
図３及び図４は、本考案の第二実施の形態に係る布団干し具２０を示す。前記第一の実施の形態に係る布団干し具１０と同一の構成に関しては同一の符号を付してその説明を省略する。
本実施の形態に係る布団干し具２０にあっては、第一の実施の形態に係る布団干し具１０よりもより大型に形成され、例えば、マンションのベランダの手すり２４に掛けられた布団１４の上から手すり２４に布団１４を固定できるような大きさに形成されている。
布団保持アーム２１、２１は、係止片部２２、２２先端部方向へ回動部２３、２３を介して回動可能に設けられており、係止片部２２、２２の先端部方向に沿って所定角度で配置しうるように構成されている。
【００２６】
即ち、布団保持アーム２１の基端部には回動部２３、２３が係止片部２２、２２に対して回動部２３、２３により回動可能に設けられ、収納時には図１に示す前記実施の形態に係る布団干し具１０と同様に布団保持アーム２１、２１の先端部は把持片部１１，１１方向に配置されて格納状態にあるが、使用時には、図３に示すように、回動部２３、２３により布団保持アーム２１は係止片部２２の先端部方向へ回動されて突出して配置される。
布団干し具２０を使用する場合には、図４に示すように、例えば、マンションの手すり２４に掛けられて干されている布団１４を固定する場合には、把持片部１１、１１を把持して係止片部２２、２２を開放した状態で、係止片部２２、２２により布団１４の折り部を手すり２４に対して係止させて、布団１４を手すり２４に固定する。その後、布団保持アーム２１、２１を延伸させて布団保持アーム２１、２１により布団１４を表面側から上下方向に押さえて保持する。
【００２７】
従って、本実施の形態に係る布団干し具２０を使用した場合には、前記実施の形態の場合とは異なり、布団１４の表面側に布団保持アーム２１、２１を配置して押さえた状態で保持することができるため、マンションのベランダの手すり２４に干したような場合に、下方からの風により布団１４がめくれあがってしまい、布団１４が手すり２４から落下してしまう事態を有効に防止することができる。
【００２８】
本実施の形態に係る布団干し具１０及び２０は、全体合成樹脂製である場合を例に説明したが、前記構成に限定されない。
【産業上の利用可能性】
【００２９】
本考案は布団干し具に広く適用することができることから、産業上の利用可能性を有している。
【符号の説明】
【００３０】
１０  布団干し具
１１  把持片部
１２  軸部
１３  係止片部
１４  布団
１４ａ  折り片部
１４ｂ  折り片部
１５  布団保持アーム
１６  物干しざお
２０  布団干し具
２１  布団保持アーム
２２  係止片部
２３  回動部
２４  手すり
２５  付勢手段
【図１】
0003208846.tif 000003
【図２】
0003208846.tif 000004
【図３】
0003208846.tif 000005
【図４】
0003208846.tif 000006